(57)【要約】【課題】複数の操作ガイダンスのうちから所望の操作ガイダンス群を、簡単な操作で繰り返し見ることを可能にする。【解決手段】画像形成装置１０は、表示部１２と、ユーザーにより操作されるタッチパネル１５と、複数の操作ガイダンスを予め設定された順序で表示部１２に表示させると共に、各操作ガイダンスに対応付けて該順序で配置されたそれぞれの指標画像を含むプログレスバーを表示部１２に表示させる制御部２１とを備える。制御部２１は、タッチ操作によりプログレスバーに対して開始位置及び終了位置が指示されると、プログレスバーにおける開始位置から終了位置までの間の複数の指標画像に対応するそれぞれの操作ガイダンスを抽出して、これらの抽出した操作ガイダンスを順次繰り返して表示部１２に表示させる【選択図】図２
2018008388.tif 000002
【特許請求の範囲】
【請求項１】
表示部と、
タッチパネル機能によりユーザーによる前記表示部へのタッチ操作を検知する操作部と、
複数の操作ガイダンスを予め設定された順序で前記表示部に表示させると共に、前記各操作ガイダンスを示すそれぞれの画像であって前記順序で配置された指標画像を含むプログレスバーを前記表示部に表示させる制御部と、を備え、
前記制御部は、前記操作部により検知された前記プログレスバーへのタッチ操作に基づいて操作説明の開始位置及び終了位置の指示が検知されると、当該指示された開始位置から終了位置までの間の複数の指標画像に対応するそれぞれの操作ガイダンスを抽出して、これらの抽出した操作ガイダンスを前記操作説明として順次繰り返して前記表示部に表示させる表示装置。
【請求項２】
前記制御部は、前記各操作ガイダンスのタイトルを前記各指標画像に対応付けて表示させる請求項１に記載の表示装置。
【請求項３】
前記制御部は、前記表示部に表示中の操作ガイダンスに対応する指標画像を示すポインターを表示させる請求項１又は請求項２に記載の表示装置。
【請求項４】
前記制御部は、前記プログレスバーの中に、前記指示された開始位置から終了位置までの間の前記操作ガイダンスについての表示の進捗状況を示す画像を表示させる請求項１乃至請求項３のいずれかに記載の表示装置。
【請求項５】
請求項１乃至請求項４のいずれかに記載の表示装置と、
記録媒体に画像を形成する画像形成部とを備える画像形成装置。
【発明の詳細な説明】
【技術分野】
【０００１】
本発明は、複数の操作ガイダンスを順次表示する表示装置及び画像形成装置に関し、特にユーザーが必要とする操作ガイダンスを繰り返し表示するための技術に関する。
【背景技術】
【０００２】
この種の表示装置は、例えば画像形成装置に適用されるものであり、画像形成装置のメンテナンスが必要になったときに、このメンテナンスの手順を案内するための複数の操作ガイダンスを順次表示する。また、各操作ガイダンスの表示に対して、一時停止、早送り、巻き戻しなどを指示することができる。
【０００３】
また、特許文献１では、動画編集に際し、動画データの時間軸を示すバーを表示し、このバーに対して動画データの切り取り開始位置と切り取り終了位置を指定して、切り取り開始位置から切り取り終了位置までの時間帯に対応する動画データの部分を抽出している。
【先行技術文献】
【特許文献】
【０００４】
【特許文献１】特開２０１０−１７８０１０号公報
【発明の概要】
【発明が解決しようとする課題】
【０００５】
ところで、上記のように複数の操作ガイダンスを順次表示する構成では、ユーザーが必要とする任意の操作ガイダンスを見るには、この任意の操作ガイダンスが表示されるまで待機する必要がある。あるいは、任意の操作ガイダンスを見るために、一時停止、早送り、巻き戻しなどを指示するなどの煩雑な操作を行わねばならず、またその操作ガイダンスを繰り返し見るには、煩雑な操作を繰り返す必要がある。
【０００６】
また、上記特許文献１では、動画データの時間軸を示すバーに対する操作により、動画データの部分を抽出しているが、この特許文献１の技術は、上記のような複数の操作ガイダンスのうちの任意の操作ガイダンスを、簡単な操作で繰り返し見ることを可能にするものではない。
【０００７】
本発明は、上記の事情に鑑みなされたものであり、複数の操作ガイダンスのうちから所望の操作ガイダンス群を、簡単な操作で繰り返し見ることを可能にすることを目的とする。
【課題を解決するための手段】
【０００８】
本発明の一局面にかかる表示装置は、表示部と、タッチパネル機能によりユーザーによる前記表示部へのタッチ操作を検知する操作部と、複数の操作ガイダンスを予め設定された順序で前記表示部に表示させると共に、前記各操作ガイダンスを示すそれぞれの画像であって前記順序で配置された指標画像を含むプログレスバーを前記表示部に表示させる制御部と、を備え、前記制御部は、前記操作部により検知された前記プログレスバーへのタッチ操作に基づいて操作説明の開始位置及び終了位置の指示が検知されると、当該指示された開始位置から終了位置までの間の複数の指標画像に対応するそれぞれの操作ガイダンスを抽出して、これらの抽出した操作ガイダンスを前記操作説明として順次繰り返して前記表示部に表示させるものである。
【０００９】
また、本発明の一局面にかかる画像形成装置は、上記表示装置と、記録媒体に画像を形成する画像形成部とを備えものである。
【発明の効果】
【００１０】
本発明によれば、複数の操作ガイダンスのうちから任意の操作ガイダンスを、簡単な操作で繰り返し見ることができる。
【図面の簡単な説明】
【００１１】
【図１】本発明の一実施形態の画像形成装置の外観を示す斜視図である。
【図２】本実施形態の画像形成装置の構成を示すブロック図である。
【図３】画像形成装置の表示部の画面に表示されている操作ガイダンス及びプログレスバー等を示す図である。
【図４】表示部の画面に表示されている操作ガイダンス及びプログレスバーに係わるデータテーブルを示す図である。
【図５】本実施形態の画像形成装置による処理手順を示すフローチャートである。
【図６】画像形成装置の操作部及び表示部を示す平面図である。
【図７】表示部の画面に表示されている操作ガイダンス及びプログレスバー等の他の例を示す図である。
【図８】表示部の画面に表示されているプログレスバーに対するスライド操作を示す図である。
【図９】表示部の画面に表示されているプログレスバーの変形例を示す図である。
【発明を実施するための形態】
【００１２】
以下、本発明の実施形態について図面を参照して説明する。図１は、本発明の実施形態にかかる表示装置が適用された画像形成装置の外観を示す斜視図である。図２は、本実施形態の画像形成装置の構成を示すブロック図である。
【００１３】
本実施形態の画像形成装置１０は、例えば、コピー機能、プリンター機能、スキャナー機能、及びファクシミリ機能のような複数の機能を兼ね備えたＭＦＰ（複合機）である。この画像形成装置１０は、制御ユニット１１と、表示部１２と、操作部１４と、タッチパネル１５と、画像読取部１７と、画像形成部１８と、記憶部１９とを備えている。これらの構成要素は、互いにバスを通じてデータ又は信号の送受信を可能とされている。
【００１４】
画像読取部１７は、原稿を光学的に読み取るスキャナーを有し、この原稿の画像を示す画像データを生成する。
【００１５】
画像形成部１８は、感光体ドラムの表面を均一帯電させ、感光体ドラムの表面を露光して、感光体ドラムの表面に静電潜像を形成し、感光体ドラムの表面の静電潜像をトナー像に現像して、感光体ドラムの表面のトナー像（画像）を記録紙に転写して定着させる。例えば、画像読取部１７で生成された画像データによって示される画像を記録紙に印刷する。
【００１６】
表示部１２は、液晶ディスプレイ（ＬＣＤ：Liquid Crystal Display）や有機ＥＬ（ＯＬＥＤ：Organic Light-Emitting Diode）ディスプレイなどから構成される。
【００１７】
表示部１２の画面には、タッチパネル１５が配置されている。タッチパネル１５は、所謂抵抗膜方式や静電容量方式などのタッチパネルであって、タッチパネル１５に対するユーザーの指などの接触（タッチ）をその接触位置とともに検知して、その接触位置の座標を示す検知信号を制御ユニット１１の後述する制御部２１等に出力する。従って、タッチパネル１５は、表示部１２の画面に対するユーザー操作が入力される操作部としての役割を果たす。
【００１８】
操作部１４は、タッチパネル１５を含み、決定キー、スタートキーなどのハードキーを備えている。
【００１９】
記憶部１９は、ＨＤＤ（Hard Disk Drive）などの大容量の記憶装置である。
【００２０】
制御ユニット１１は、プロセッサー、ＲＡＭ(Random Access Memory）、及びＲＯＭ（Read Only Memory）などから構成される。プロセッサーは、例えば、ＣＰＵ（Central Processing Unit）、ＭＣＵ、ＡＳＩＣである。この制御ユニット１１は、上記の記憶部１９等に記憶された制御プログラムが上記のプロセッサーで実行されることにより、本実施形態で示す表示制御に必要な処理を行う制御部２１として機能する。なお、制御ユニット１１の制御部２１は、プログラムに基づく動作によらず、ハード回路により構成されてもよい。
【００２１】
制御部２１は、画像形成装置１０の全体的な動作制御も司る。制御部２１は、タッチパネル１５から出力される検知信号に基づき、タッチパネル１５に対するユーザー操作を受け付ける。また、制御部２１は、ユーザーによる操作部１４のハードキーの押下に基づいて入力されるユーザーによる指示を受け付ける。
【００２２】
さらに、制御部２１は、表示部１２を制御して、上記表示制御に必要な処理を行う。制御部２１は、画像形成処理に必要な設定項目の入力画面、情報の入力画面、あるいは画像形成装置１０の操作ガイダンスなどを表示させる。
【００２３】
ここで、本実施形態では、画像形成装置１０のメンテナンスが必要になったときに、このメンテナンスの手順を案内するための複数の操作ガイダンスを、操作説明として表示部１２の画面に順次表示する。また、本実施形態では、複数の操作ガイダンスのうちから任意の操作ガイダンスを、簡単な操作で順次繰り返し表示することを可能にする。
【００２４】
次に、そのような複数の操作ガイダンスを順次表示したり、任意の操作ガイダンスを繰り返し表示したりするための構成及び制御について説明する。
【００２５】
図３は、表示部１２の画面に表示されている操作ガイダンス等を例示する図である。図３に示すように、制御部２１は、表示部１２の画面に、操作ガイダンスＤを表示させる。制御部２１は、画像形成装置１０の紙詰まりを解消するための操作案内を表示する複数の操作ガイダンスのＡ〜Ｊを予め記憶している。この操作ガイダンスＤは、当該複数の操作ガイダンスのＡ〜Ｊのうちの１つである。制御部２１は、これらの操作ガイダンスＡ〜Ｊを、規定の順番で１つずつ表示部１２の画面に表示させる。
【００２６】
また、制御部２１は、表示部１２の画面の下側部分に、プログレスバー３１を表示させる。このプログレスバー３１は、各操作ガイダンスＡ〜Ｊに対応付けて順次配置されたそれぞれの指標画像ａ〜ｊ、及び該各指標画像ａ〜ｊの位置を示す目盛り画像（以下、単に目盛りという）を含む画像である。指標画像は、各操作ガイダンスを示すそれぞれの画像である。各指標画像は、複数の操作ガイダンスのＡ〜Ｊの表示順に配置される。各指標画像ａ〜ｊ及び目盛りは等間隔に配置されている。
【００２７】
また、各指標画像ａ〜jには、該各指標画像ａ〜ｊに対応するそれぞれの操作ガイダンスＡ〜ＪのタイトルＴａ〜Ｔｊが矢印で関連付けられている。ユーザーは、任意の指標画像に関連付けられているタイトルを見て、該任意の指標画像に対応する操作ガイダンスの概要を知ることができる。更に、制御部２１は、プログレスバー３１として、表示部１２の画面に表示中の操作ガイダンスに対応する指標画像の位置にポインター３２（特許請求の範囲における「進捗状況を示す画像」の一例）を表示させている。ここでは、制御部２１は、操作ガイダンスＤを表示中であるため、ポインター３２が指標画像ｄの位置に表示させる。
【００２８】
また、表示部１２の画面上のプログレスバー３１に対するユーザーのタッチ操作をタッチパネル１５が検知することにより、制御部２１は、プログレスバー３１における任意の開始位置３４及び任意の終了位置３５の指定を受け付ける。制御部２１は、当該指定に従って、これらの開始位置３４及び終了位置３５を設定した場合は、開始位置３４から終了位置３５までの間に表示される１乃至複数の指標画像に対応する１乃至複数の操作ガイダンスを抽出して、これら抽出した１乃至複数の操作ガイダンスを、表示部１２の画面に順次繰り返して表示する。
【００２９】
また、制御部２１は、表示部１２の画面に、一時停止キー３３を示す画像を表示する。この一時停止キー３３がユーザーによりタッチ操作され、当該タッチ操作がタッチパネル１５により検知されると、制御部２１は、このタッチ操作検知の時点での操作ガイダンスの表示を維持して続け、複数の操作ガイダンスの順次表示は停止する。更に、一時停止キー３３が再びタッチ操作されると、制御部２１は、複数の操作ガイダンスの順次表示を再び開始させる。
【００３０】
図４は、各指標画像ａ〜ｊ、プログレスバー３１における各指標画像ａ〜ｊの表示位置、各タイトルＴａ〜Ｔｊ、及び各操作ガイダンスＡ〜Ｊのアドレスを対応付けたデータテーブル４１を示している。当該データテーブル４１は記憶部１９に記憶され、制御部２１が保有している。プログレスバー３１における各指標画像ａ〜ｊの表示位置は、例えばプログレスバー３１の左端から、表示順の早い順に並べた位置とされる。各操作ガイダンスＡ〜Ｊのアドレスは、該各操作ガイダンスＡ〜Ｊが記憶されている記憶部１９内のそれぞれのアドレスであり、これらのアドレスに基づき、該各操作ガイダンスＡ〜Ｊを記憶部１９から順次検索して読み出し、該各操作ガイダンスＡ〜Ｊを表示部１２の画面に順次表示させることができる。
【００３１】
なお、ここでは、紙詰まりを解消するための複数の操作ガイダンス、データテーブルなどを例に挙げているが、他の種類のメンテナンス、例えば「トナー交換」や「用紙の補充」などについても、複数の操作ガイダンス、データテーブルが記憶部１９に記憶され、制御部２１により保有されている。制御部２１は、メンテナンスの種類別に、複数の操作ガイダンスを記憶部１９から検索して表示部１２の画面に順次表示したり、複数の操作ガイダンスに対応するそれぞれの指標画像を含むプログレスバー３１を表示する。
【００３２】
次に、図５のフローチャートを参照しつつ、複数の操作ガイダンスを順次表示したり、任意の操作ガイダンスを抽出して順次繰り返し表示したりするための処理手順を説明する。
【００３３】
まず、画像形成装置１０の表示部１２の画面には、制御部２１の表示制御により、図６に示すようにそれぞれの機能に対応付けられた複数のタッチキー５１ａ〜５１ｈ等が表示されているものとする。この状態で、ユーザーがメンテナンスに対応するタッチキー５１ｈをタッチ操作すると、タッチパネル１５によりタッチキー５１ｈに対するタッチ操作が検出されて、このタッチ操作が制御部２１で受け付けられ、制御部２１は、メンテナンスの一覧（図示せず）を表示部１２の画面に表示させる（ステップＳ１０１）。例えば、メンテナンスの一覧として、「トナー交換」、「用紙の補充」、「紙詰まり」などが表示される。そして、ユーザーが「紙詰まり」の表示箇所をタッチ操作すると、タッチパネル１５によりその表示箇所に対するタッチ操作が検出されて、このタッチ操作が制御部２１で受け付けられ、制御部２１は、図４のデータテーブル４１を参照して、紙詰まりを解消するための操作ガイダンスＡのアドレスを求め、この操作ガイダンスＡを記憶部１９から読み出して、図７に示すように操作ガイダンスＡを表示部１２の画面に表示させる。
【００３４】
また、制御部２１は、図４のデータテーブル４１を参照して、各操作ガイダンスＡ〜Ｊに対応する各指標画像ａ〜ｊ、各指標画像ａ〜ｊの表示位置、及び各タイトルＴａ〜Ｔｊを求め、各指標画像ａ〜ｊを含むプログレスバー３１及び各タイトルＴａ〜Ｔｊを表示部１２の画面に表示させ、また操作ガイダンスＡに対応する指標画像ａの位置にポインター３２を表示させる（ステップＳ１０２）。
【００３５】
更に、制御部２１は、操作ガイダンスＡの表示時点より計時を開始して、一定時間（例えば５秒）が経過すると、操作ガイダンスＡの表示を操作ガイダンスＢの表示に切り替えると共に、プログレスバー３１のポインター３２を操作ガイダンスＡに対応する指標画像ａの位置から、操作ガイダンスＢに対応する指標画像ｂの位置に移動させる。以降、一定時間が経過する度に、制御部２１は、各操作ガイダンスＣ、Ｄ、…を順次切り換えて表示させると共に、プログレスバー３１のポインター３２を、表示中の操作ガイダンスに対応するそれぞれの指標画像の位置に順次移動させて表示する。制御部２１は、全ての操作ガイダンスＡ〜Ｊの順次表示及びポインター３２の順次移動をサイクリックに繰り返す（ステップＳ１０３）。この表示状態が続くと、ユーザーが、紙詰まりを解消するための全ての操作ガイダンスを順番に見ることになる。
【００３６】
このとき、ユーザーが表示部１２の画面上のプログレスバー３１における２つの位置にタッチ操作して、タッチパネル１５によりその２つの位置のタッチ操作が検出され、この２つの位置のタッチ操作が制御部２１で受け付けられると（ステップＳ１０４で「Ｙｅｓ」）、制御部２１は、この２つの位置のうちのプログレスバー３１の左端（開始側の端部、図３の場合は左端となる）に近い方を開始位置３４として設定し、他方を終了位置３５として設定する（ステップＳ１０５）。制御部２１は、開始位置３４及び終了位置３５を、プログレスバー３１に含まれる各指標画像と同様に、プログレスバー３１の左端から表示順の早い順に並べて表示する。
【００３７】
そして、制御部２１は、図４のデータテーブル４１を参照して、開始位置３４から終了位置３５までの間に表示している指標画像を検出し、当該指標画像に対応する操作ガイダンスを選択し、この選択した操作ガイダンスを表示部１２の画面に表示させると共に、プログレスバー３１のポインター３２を、表示中の操作ガイダンスに対応する指標画像の位置に表示させる。このとき、制御部２１は、開始位置３４から終了位置３５までの間に複数の指標画像があったならば、当該各指標画像に対応する複数の操作ガイダンスを選択して、一定時間毎に、当該選択した各操作ガイダンスを、表示部１２の画面に順次切り換えて表示する。これと共に、制御部２１は、プログレスバー３１のポインター３２を、表示中の操作ガイダンスを示す各指標画像の位置に順次移動させて表示する。そして、制御部２１は、当該選択した各操作ガイダンスの順次表示及びポインター３２の順次移動をサイクリックに繰り返す。（ステップＳ１０６）
【００３８】
例えば、図３に示すように、プログレスバー３１に対して開始位置３４及び終了位置３５が設定された場合は、開始位置３４と終了位置３５の間に４つの指標画像ｄ、ｅ、ｆ、ｇがあるので、制御部２１は、これらの指標画像ｄ、ｅ、ｆ、ｇに対応する各操作ガイダンスＤ、Ｅ、Ｆ、Ｇを表示部１２の画面に順次表示する。制御部２１は、これと共に、プログレスバー３１のポインター３２を該各指標画像ｄ、ｅ、ｆ、ｇの位置に順次移動させて表示する。これにより、該各操作ガイダンスＤ、Ｅ、Ｆ、Ｇの順次表示及びポインター３２の順次移動がサイクリックに繰り返されることになる。
【００３９】
なお、プログレスバー３１における１つの位置のみがタッチ操作された場合は、制御部２１は、この位置を開始位置３４とみなし、終了位置３５をプログレスバー３１の右端（終了側の端部、図３の場合は右端となる）の位置に設定する。このとき、制御部２１は、開始位置３４から終了位置３５までの間の複数の指標画像を検出し、この検出した各指標画像に対応するそれぞれの操作ガイダンスを表示部１２の画面に順次切り換えて表示すると共に、プログレスバー３１のポインター３２を該各指標画像の位置に順次移動させて表示し、この順次表示及び順次移動をサイクリックに繰り返す。
【００４０】
この状態では、制御部２１は、ユーザーによる表示部１２の画面上のプログレスバー３１における開始位置３４又は終了位置３５にタッチしてスライドさせるスライド操作がタッチパネル１５により検知されると、このスライドに伴って開始位置３４又は終了位置３５を移動させて表示する。すなわち、制御部２１は、開始位置３４又は終了位置３５に対するスライド操作がタッチパネル１５により検出され、このスライド操作を受け付けると（ステップＳ１０７で「Ｙｅｓ」）、制御部２１は、表示部１２の画面上で開始位置３４又は終了位置３５を移動させて表示させると共に、スライド移動の終了位置に開始位置３４又は終了位置３５を変更する（ステップＳ１０５）。
【００４１】
この場合、制御部２１は、開始位置３４から終了位置３５までの間の指標画像を改めて検出し、データテーブル４１を参照して、当該検出した指標画像に対応する操作ガイダンスを選択し、この選択した操作ガイダンスを表示部１２の画面に表示させると共に、プログレスバー３１のポインター３２を該指標画像の位置に表示させる。このときにも、制御部２１は、開始位置３４から終了位置３５までの間に複数の指標画像があったならば、一定時間毎に、各指標画像に対応するそれぞれの操作ガイダンスを表示部１２の画面に順次切り換えて表示すると共に、プログレスバー３１のポインター３２を、表示中の操作ガイダンスに対応する各指標画像の位置に順次移動させて表示し、この順次表示及び順次移動をサイクリックに繰り返す（ステップＳ１０６）。
【００４２】
また、開始位置３４又は終了位置３５のスライド操作がタッチパネル１５により検知されず（ステップＳ１０７で「Ｎｏ」）、一時停止キー３３のタッチ操作もタッチパネル１５により検知されず（ステップＳ１０８で「Ｎｏ」）、表示部１２の画面上の閉キー３６のタッチ操作もタッチパネル１５により検知されず（ステップＳ１１０で「Ｎｏ」）、一時停止キー３３へのタッチ操作がタッチパネル１５により検知され、このタッチ操作を制御部２１が受け付けた場合（ステップＳ１０８で「Ｙｅｓ」）、制御部２１は、このタッチ操作の検知時点での操作ガイダンスの表示及びポインター３２の位置を維持してそのまま表示を続け、操作ガイダンスの順次表示及びポインター３２の順次移動を停止させる（ステップＳ１０９）。
【００４３】
また、開始位置３４又は終了位置３５のスライド操作が検知されず（ステップＳ１０７で「Ｎｏ」）、一時停止キー３３のタッチ操作もタッチパネル１５により検知されず（ステップＳ１０８で「Ｎｏ」）、表示部１２の画面上の閉キー３６のタッチ操作も検知されず（ステップＳ１１０で「Ｎｏ」）、一時停止キー３３の再度のタッチ操作がタッチパネル１５により検知され、この再度のタッチ操作を制御部２１が受け付けた場合は（ステップＳ１０８で「Ｙｅｓ」）、制御部２１は、操作ガイダンスの順次表示及びポインター３２の順次移動を再開させる（ステップＳ１０９）。
【００４４】
また、開始位置３４又は終了位置３５のスライド操作がタッチパネル１５により検知されず（ステップＳ１０７で「Ｎｏ」）、一時停止キー３３のタッチ操作もタッチパネル１５により検知されず（ステップＳ１０８で「Ｎｏ」）、閉キー３６のタッチ操作がタッチパネル１５により検知されて、制御部２１が、このタッチ操作を受け付けると（ステップＳ１１０で「Ｙｅｓ」）、操作ガイダンス及びプログレスバー３１の表示を停止して、図６の処理を終了する。
【００４５】
このように本実施形態では、開始位置３４及び終了位置３５の変更に応じて、当該開始位置３４から終了位置３５までの間の複数の指標画像に対応するそれぞれの操作ガイダンスを順次繰り返して表示させることができるので、ユーザーは、順次繰り返して表示させる操作ガイダンスを容易に変更でき、当該操作ガイダンス群を、簡単な操作で繰り返し見ることが可能になり、画像形成装置１０のメンテナンスの方法を速やかに理解できるようになる。
＜変形例１＞
【００４６】
上記実施形態によれば、１本の指で別々に行った、プログレスバー３１に対するタッチ操作による開始位置３４及び終了位置３５の指示をタッチパネル１５が検知可能なので、図８に示すように２本の指を使ってユーザーが開始位置３４及び終了位置３５を指定するタッチ操作を同時に行ってもタッチパネル１５により検知される。このため、上記実施形態によれば、ユーザーは、２本の指を使って、開始位置３４及び終了位置３５を同時に設定することが可能である。
＜変形例２＞
【００４７】
プログレスバー３１のポインター３２を、表示部１２の画面に表示中の操作ガイダンスに対応する指標画像の表示位置に表示することに代えて、図９に示すようなプログレスバー３１の左端から表示部１２の画面に表示中の操作ガイダンスに対応する指標画像の位置まで延ばして表示する伸縮バー３７（特許請求の範囲における「進捗状況を示す画像」の一例）を、制御部２１が表示するようにしてもよい。
【００４８】
なお、図１乃至図９を用いて説明した上記実施形態及び変形例の構成及び処理は、本発明の一例に過ぎず、本発明を当該構成及び処理に限定する趣旨ではない。
【符号の説明】
【００４９】
１０    画像形成装置
１２    表示部
１４    操作部
１５    タッチパネル
１７    画像読取部
１８    画像形成部
１９    記憶部
１１    制御ユニット
２１    制御部
【図１】
2018008388.tif 000003
【図２】
2018008388.tif 000004
【図３】
2018008388.tif 000005
【図４】
2018008388.tif 000006
【図５】
2018008388.tif 000007
【図６】
2018008388.tif 000008
【図７】
2018008388.tif 000009
【図８】
2018008388.tif 000010
【図９】
2018008388.tif 000011